(57)【特許請求の範囲】
【請求項１】
駆動されることで熱を発生させる熱源部と、
前記熱源部を保持する筐体と、
前記筐体内部の温度を検出する温度検出部と、
通信を行う通信部と、
前記通信部で受信した音声を出力する音声出力部と、
前記熱源部と前記通信部を制御する制御部と、を有し、
前記制御部は、前記温度検出部で検出した温度が設定された温度以上である場合と、前記温度検出部で検出した温度が設定された温度未満である場合とで、前記音声出力部からの音声出力を変化させる携帯電子機器において、
前記制御部は、前記通信部を用いて、外気温情報を取得するように制御するとともに、前記通信部を用いて取得した外気温情報に基づいて前記温度を設定することを特徴とする携帯電子機器。
【請求項２】
前記制御部は、前記通信部で受信した音声を出力する設定が異なる複数の出力モードが設定されており、
前記温度検出部で検出した温度が設定された温度以上である場合と、前記温度検出部で検出した温度が設定された温度未満である場合とでは、異なる出力モードにより制御を行うことを特徴とする請求項１に記載の携帯電子機器。
【請求項３】
前記制御部は、前記温度検出部で検出した温度が設定された温度以上である場合は、前記温度検出部で検出した温度が設定された温度未満である場合よりも、音声出力部から出力する音声の音量を大きくすることを特徴とする請求項１または２に記載の携帯電子機器。
【請求項４】
前記音声出力部は、音声を出力するレシーバと、該レシーバよりも大きな音声出力が可能なスピーカとを備え、
前記制御部は、前記温度検出部で検出した温度が設定された温度以上である場合は、前記スピーカを用いて音声出力を行うことを特徴とする請求項１から３のいずれか１項に記載の携帯電子機器。
【請求項５】
前記制御部は、前記温度検出部で検出した温度が設定された温度以上である場合は、前記通信部による通話ができないように禁止制御を行うことを特徴とする請求項１に記載の携帯電子機器。
【請求項６】
前記禁止制御は、前記通信部における発信の禁止、通話の停止、または着信の拒否のいずれか１つを含む制御であることを特徴とする請求項５に記載の携帯電子機器。
【請求項７】
前記制御部は、前記温度検出部で検出した温度が設定された温度以上であることを検出したら、前記温度検出部で検出する温度が設定された温度未満になるまでの時間を推定し、推定した前記温度検出部で検出する温度が設定された温度未満になるまでの時間を通知することを特徴とする請求項４から６のいずれか１項に記載の携帯電子機器。
【請求項８】
前記温度検出部で検出した温度と、前記音声出力部から出力する音声出力パターンとの対応関係を記憶した記憶部を有し、
前記制御部は、前記通信部により着信が検知されたとき、前記温度検出部で検出した温度と前記対応関係とに基づいて特定した音声出力パターンを出力することを特徴とする請求項１から４のいずれか１項に記載の携帯電子機器。
【請求項９】
前記制御部は、前記温度検出部で検出した温度が設定された温度以上であることを検出したら、前記温度検出部で検出する温度が設定された温度未満になるまでの時間を推定し、推定した前記温度検出部で検出する温度が設定された温度未満になるまでの時間に基づく通知を着信時に相手方にたいして行うことを特徴とする請求項４から６のいずれか１項に記載の携帯電子機器。
【請求項１０】
前記熱源部は、画像を投影する画像投影部であることを特徴とする請求項１から９のいずれか１項に記載の携帯電子機器。
【請求項１１】
前記温度検出部は、前記筐体の測定点における温度を検出する検出素子と、前記筐体の測定点における温度と前記筐体の外表面における温度との関係を記憶した温度対応テーブルを備え、
前記検出素子で検出した温度と前記温度対応テーブルにより、前記筐体の外表面における温度を検出することを特徴とする請求項１から１０のいずれか１項に記載の携帯電子機器。
【発明の詳細な説明】
【技術分野】
【０００１】
本発明は、他の端末と通信を行い、かつ、熱を発生させる発熱部を有する携帯電子機器に関する。
【背景技術】
【０００２】
従来から、壁面やスクリーンに画像を投影する装置としては、いわゆるプロジェクタがある。このプロジェクタは、商用電源から電力が供給され、所定位置に固定した状態で使用される、いわゆる据え置き型の装置が主流である。この据え置き型のプロジェクタは、固定した状態で、一定箇所の壁面やスクリーンに画像を投影させる。
【０００３】
これに対して、近年、プロジェクタとして、小型で持ち運びが容易な携帯型のプロジェクタが提案されている。また、携帯型プロジェクタとしては、プロジェクタ機能と通信機能を備えた、プロジェクタ機能付き携帯電話機も提案されている。このような、プロジェクタ機能付き携帯電話機において、プロジェクタ機能の使用時に着信があった場合、操作者に着信を通知する装置としては、特許文献１に記載されている装置がある。また、特許文献１には、着信音で知らせる方法も記載されている。
【０００４】
特許文献１には、光学像を投影する投影手段と、外部装置との間で通信を行う通信手段と、投影手段による投影中に通信手段に着信があると、投影手段に着信通知を示す投影を開始させる投影制御手段とを備えるプロジェクタ付き携帯電話機が記載されている。
【０００５】
また、特許文献２及び特許文献３には、プロジェクタとして使用中であるか否かにかかわらず、通信ネットワークを介して情報を受信したときに、該情報の着信を通知するための着信通知画像を、プロジェクタを用いて、利用者が視認可能な投影面に投影する方法が記載されている。
【先行技術文献】
【特許文献】
【０００６】
【特許文献１】特開２００７−７４６５２号公報
【特許文献２】特開２００４−２８９４０１号公報
【特許文献３】特開２００５−９４４９６号公報
【発明の概要】
【発明が解決しようとする課題】
【０００７】
特許文献１から特許文献３に記載されているように着信が通知されることで、操作者は、着信を知ることができ、通話を行うことができる。ここで、特許文献１から特許文献３のようにプロジェクタを使用するとプロジェクタから発せられる熱により携帯電話機（携帯電子機器）が加熱されることがある。このように、加熱された状態の携帯電子機器で通話を行うと、携帯電子機器を持っている手や、耳が暖かくなり、快適な通話（通信）を行うことができないため問題である。
【０００８】
本発明は、上記に鑑みてなされたものであって、他の端末の通信時に適切な通信動作を行うことができる携帯電子機器を提供することを目的とする。
【課題を解決するための手段】
【０００９】
本発明は、携帯電子機器であって、駆動されることで熱を発生させる熱源部と、前記熱源部を保持する筐体と、前記筐体の温度を検出する温度検出部と、通信を行う通信部と、前記通信部で受信した音声を出力する音声出力部と、前記熱源部と前記通信部を制御する制御部と、を有し、前記制御部は、前記温度検出部で検出した温度が設定された温度以上である場合と、前記温度検出部で検出した温度が設定された温度未満である場合とで、前記音声出力部からの音声出力を変化させることを特徴とする。
【００１０】
ここで、前記制御部は、前記通信部で受信した音声を出力する設定が異なる複数の出力モードが設定されており、前記温度検出部で検出した温度が設定された温度以上である場合と、前記温度検出部で検出した温度が設定された温度未満である場合とでは、異なる出力モードにより制御を行うことも好ましい。
【００１１】
また、前記制御部は、前記温度検出部で検出した温度が設定された温度以上である場合は、前記温度検出部で検出した温度が設定された温度未満である場合よりも、音声出力部から出力する音声の音量を大きくすることが好ましい。
【００１２】
また、前記音声出力部は、音声を出力するレシーバと、該レシーバよりも大きな音声出力が可能なスピーカとを備え、前記制御部は、前記温度検出部で検出した温度が設定された温度以上である場合は、前記スピーカを用いて音声出力を行うことが好ましい。
【００１３】
また、前記制御部は、前記温度検出部で検出した温度が設定された温度以上である場合は、前記通信部による通話ができないように禁止制御を行うことが好ましい。
【００１４】
また、前記禁止制御は、前記通信部における発信の禁止、通話の停止、または着信の拒否のいずれか１つを含む制御であることが好ましい。
【００１５】
また、前記制御部は、前記温度検出部で検出した温度が設定された温度以上であることを検出したら、前記温度検出部で検出する温度が設定された温度未満になるまでの時間を推定し、推定した前記温度検出部で検出する温度が設定された温度未満になるまでの時間を通知することが好ましい。
【００１６】
また、前記温度検出部で検出した温度と、前記音声出力部から出力する音声出力パターンとの対応関係を記憶した記憶部を有し、前記制御部は、前記通信部により着信が検知されたとき、前記温度検出部で検出した温度と前記対応関係とに基づいて特性した音声出力パターンを出力することが好ましい。
【００１７】
本発明は、携帯電子機器であって、駆動されることで熱を発生させる熱源部と、前記熱源部を保持する筐体と、前記筐体の温度を検出する温度検出部と、通信を行う通信部と、前記通信部で受信した音声を出力するレシーバと、前記レシーバよりも大きい音声が出力可能なスピーカと、前記温度検出部で検出した温度と音声出力パターンとの対応関係を記憶した記憶部と、前記熱源部の動作と前記通信部の動作を制御する制御部と、を有し、前記制御部は、前記他の端末からの着信の検知時に、前記記憶部から前記対応関係を読み出し、前記温度検出部で検出した温度と、前記対応関係に基づいて、音声出力パターンを特定し、特定した音声出力パターンを前記スピーカから出力することを特徴とする。
【００１８】
ここで、前記熱源部は、画像を投影する画像投影部であることが好ましい。
【００１９】
また、前記温度検出部は、前記筐体の測定点における温度を検出する検出素子と、前記筐体の測定点における温度と前記筐体の外表面における温度との関係を記憶した温度対応テーブルを備え、前記検出素子で検出した温度と前記温度対応テーブルにより、前記筐体の外表面における温度を検出することが好ましい。
【００２０】
また、前記温度検出部の測定点は、前記筐体の外表面の前記音声出力部の近傍に配置されていることが好ましい。
【発明の効果】
【００２１】
本発明にかかる携帯電子機器は、筐体が所定温度以上であるか所定温度未満であるかによって、音声出力部から出力する音声の音量を変化させることで、操作者が直感的に筐体の温度状態が所定温度以上であるか否かを判断することができるという効果を奏する。これにより、操作者が暑いまたは熱いと感じながら、通話することを抑制でき、他の端末の通信時に適切な通信動作を行うことができるという効果を奏する。
【図面の簡単な説明】
【００２２】
【図１】図１は、携帯電子機器の一実施形態の概略構成を示す斜視図である。
【図２】図２は、図１に示す携帯電子機器の機能の概略構成を示すブロック図である。
【図３】図３は、図１に示す携帯電子機器で画像を表示させている状態を示す説明図である。
【図４】図４は、携帯電子機器の動作の一例を示すフロー図である。
【図５】図５は、携帯電子機器の温度変化の一例を示すグラフである。
【図６】図６は、携帯電子機器の動作の他の例を示すフロー図である。
【図７】図７は、図６に示すフロー図の動作をより詳細に説明するためのフロー図である。
【図８】図８は、図６に示すフロー図の動作をより詳細に説明するためのフロー図である。
【図９】図９は、図６に示すフロー図の動作をより詳細に説明するためのフロー図である。
【図１０】図１０は、図６に示す携帯電子機器の動作を説明するための説明図である。
【図１１】図１１は、携帯電子機器の動作の他の例を示すフロー図である。
【図１２】図１２は、図１１に示すフロー図の動作をより詳細に説明するためのフロー図である。
【図１３】図１３は、図１１に示すフロー図の動作をより詳細に説明するためのフロー図である。
【図１４】図１４は、図１１に示す携帯電子機器の動作を説明するための説明図である。
【図１５】図１５は、携帯電子機器の動作の他の例を示すフロー図である。
【図１６】図１６は、携帯電子機器の動作の他の例を示すフロー図である。
【図１７】図１７は、図１６に示す携帯電子機器の動作を説明するための説明図である。
【図１８】図１８は、携帯電子機器の動作の他の例を示すフロー図である。
【発明を実施するための形態】
【００２３】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話機を例として説明するが、本発明の適用対象は携帯電話機に限定されるものではなく、例えば、ＰＨＳ（Personal Handyphone System）、ＰＤＡ、ポータブルナビゲーション装置、ノートパソコン、ゲーム機等に対しても本発明は適用できる。
【００２４】
まず、携帯電子機器の外観の構成を説明する。図１は、携帯電子機器の一実施形態の概略構成を示す斜視図である。携帯電子機器１０は、無線通信機能を備えた携帯電話機である。携帯電子機器１０は、１つの箱型形状の筐体１１の内部に各部が収納されたストレート形状の携帯電話機である。なお、本実施形態では、筐体１１を１つの箱型形状としたが、ヒンジで連結された２つの部材で構成した折りたたみ可能な筐体や、２つの部材をスライドさせる筐体としてもよい。また、３つ以上の部材を連結した筐体も用いることができる。
【００２５】
筐体１１には、表示部として、図１に示すディスプレイ１２が設けられる。ディスプレイ１２は、所定の画像として、携帯電子機器１０が受信を待機している状態のときに待ち受け画像を表示したり、携帯電子機器１０の操作を補助するために用いられるメニュー画像を表示したりする。
【００２６】
筐体１１には、通話相手の電話番号や、メール作成時等に文字を入力するための操作キー１３が複数設けられている。なお、操作キー１３は、携帯電子機器１０の操作部２８（図２参照）を構成する。また、筐体１１には、携帯電子機器１０の通話時に音声を受け取るマイク１５、携帯電子機器１０の通話時に音声を発するレシーバ１６、筐体１１内の熱を逃がす冷却ファン３８が設けられる。
【００２７】
また、筐体１１の上面（一辺が、操作キー１３が設けられる面と直交する４つの面のうち、レシーバ１６に近接している側の短辺）には、画像を投影するプロジェクタ３４の光射出部３４ａが設けられている。
【００２８】
図２は、図１に示す携帯電子機器の機能の概略構成を示すブロック図である。図２に示すように携帯電子機器１０は、制御部２２と、記憶部２４と、送受信部２６と、操作部２８と、音声処理部３０と、表示部３２と、プロジェクタ３４と、バッテリ３６と、冷却ファン３８と、温度センサ３９と、を有する。また、携帯電子機器１０は、音声を出力する部分として、レシーバ１６に加え、スピーカ１７とイヤホン出力部１８とを有する。スピーカ１７は、直接音声を出力し、イヤホン出力部１８は、イヤホン出力部１８に接続されたイヤホンから音声を出力させる。
【００２９】
制御部２２は、ＣＰＵ（Central Processing Unit）等の携帯電子機器１０の全体的な動作を統括的に制御する処理部である。すなわち、携帯電子機器１０の各種の処理が、操作部２８の操作や携帯電子機器１０の記憶部２４に保存されるソフトウェアに応じて適切な手順で実行されるように、送受信部２６や、音声処理部３０や、表示部３２等の動作を制御する。携帯電子機器１０の各種の処理としては、例えば、回線交換網を介して行われる音声通話、電子メールの作成及び送受信、インターネットのＷｅｂ（World Wide Web）サイトの閲覧等がある。また、送受信部２６、音声処理部３０、表示部３２等の動作としては、例えば、送受信部２６による信号の送受信、音声処理部３０による音声の入出力、表示部３２による画像の表示等がある。
【００３０】
制御部２２は、記憶部２４に保存されているプログラム（例えば、オペレーティングシステムプログラム、アプリケーションプログラム等）に基づいて処理を実行する。制御部２２は、例えば、マイクロプロセッサユニット（ＭＰＵ：Micro Processor Unit）で構成され、前記ソフトウェアで指示された手順にしたがって上述した携帯電子機器１０の各種の処理を実行する。すなわち、制御部２２は、記憶部２４に保存されるオペレーティングシステムプログラムやアプリケーションプログラム等から命令コードを順次読み込んで処理を実行する。
【００３１】
制御部２２は、複数のアプリケーションプログラムを実行する機能を有する。制御部２２が実行するアプリケーションプログラムとしては、例えば、温度センサでの検出値に基づいて制御を行うアプリケーションプログラム、プロジェクタの駆動を制御するアプリケーションプログラム、静止画や動画を再生する画像再生アプリケーションプログラム、各種ゲームを作動させるゲームアプリケーションプログラム等の複数のアプリケーションプログラムがある。
【００３２】
記憶部２４には、制御部２２での処理に利用されるソフトウェアやデータが保存されており、上述した、温度センサでの検出値に基づいて制御を行うアプリケーションプログラムを作動させるタスクや、プロジェクタの駆動を制御するアプリケーションプログラムを作動させるタスクや、静止画や動画を再生する画像再生アプリケーションプログラムを作動させるタスク、各種ゲームアプリケーションプログラムを作動させるタスクが保存されている。
【００３３】
また、記憶部２４には、これらのタスク以外にも、例えば、通信、ダウンロードされた音声データ、あるいは記憶部２４に対する制御に制御部２２が用いるソフトウェア、通信相手の電話番号やメールアドレス等を保存し、管理するアドレス帳、発信音や着信音等の音声ファイル、ソフトウェアの処理過程で用いられる一時的なデータ等が保存されている。なお、ソフトウェアの処理過程で用いられるコンピュータプログラムや一時的なデータは、制御部２２によって記憶部２４に割り当てられた作業領域へ一時的に保存される。記憶部２４は、例えば、不揮発性の記憶デバイス（ＲＯＭ：Read Only Memory等の不揮発性半導体メモリ、ハードディスク装置等）や、読み書き可能な記憶デバイス（例えば、ＳＲＡＭ：Static Random Access Memory、ＤＲＡＭ：Dynamic Random Access Memory）等で構成される。
【００３４】
送受信部２６は、アンテナ２６ａを有し、基地局によって割り当てられるチャネルを介し、基地局との間でＣＤＭＡ方式などによる無線信号回線を確立し、基地局との間で電話通信及び情報通信を行う。
【００３５】
操作部２８は、例えば、電源キー、通話キー、数字キー、文字キー、方向キー、決定キー、発信キーなど、各種の機能が割り当てられた操作キー１３で構成され、これらのキーがユーザの操作により入力されると、その操作内容に対応する信号を発生させる。そして、発生した信号は、ユーザの指示として制御部２２へ入力される。
【００３６】
音声処理部３０は、マイク１５に入力される音声信号やレシーバ１６、スピーカ１７、イヤホン出力部１８から出力される音声信号の処理を実行する。すなわち、音声処理部３０は、マイク１５から入力される音声を増幅し、ＡＤ変換（Analog Digital変換）を実行した後さらに符号化等の信号処理を施して、デジタルの音声データに変換して制御部２２へ出力する。また、制御部２２から送られる音声データに対して復号化、ＤＡ変換（Digital Analog変換）、増幅等の処理を施してアナログの音声信号に変換してから、レシーバ１６、スピーカ１７、イヤホン出力部１８の少なくとも１つへ出力する。なお、スピーカ１７からは、着信を知らせる音声や、ハンズフリー操作時の通話音声、音楽等を出力させることができる。また、イヤホン出力部１８からは、ハンズフリー操作時の通話音声、音楽等を出力させることができる。なお、スピーカ１７は、レシーバ１６よりも大きい音声を出力することが可能な音声出力機構である。
【００３７】
表示部３２は、液晶ディスプレイ（ＬＣＤ、Liquid Crystal Display）や、有機ＥＬ（Organic  Electro−Luminescence）パネルなどで構成された表示パネル（上述したディスプレイ１２等）を備え、制御部２２から供給される映像データに応じた映像、画像データに応じた画像を表示パネルに表示させる。なお、表示部３２は、ディスプレイ１２に加え、例えば、筐体を閉じた状態でも外部に露出している位置にサブディスプレイを設けてもよい。
【００３８】
プロジェクタ３４は、画像を投影する画像投影機構であり、上述したように、筐体１１の上面に画像を投影する光射出部３４ａが設けられている。ここで、図３は、図１に示す携帯電子機器で画像を表示させている状態を示す説明図である。携帯電子機器１０は、プロジェクタ３４の光射出部３４ａから画像を投影する、つまり画像を構成する光を射出することで、図３に示すように、筐体１１の上面に対向する面にある壁面、スクリーン等のうち、一定の領域（投影領域）に画像を投影することができる。なお、プロジェクタ３４は、制御部２２により動作が制御され、制御部２２から送られる種々の映像、例えば映画、プレゼンテーション資料を投影し、投影領域に表示させる。
【００３９】
プロジェクタ３４は、光源と、画像データに応じて、光源から射出された光を投影するか否かを切り換える光学系とで構成されている。例えば、プロジェクタ３４には、ハロゲンライトや、ＬＥＤ光源、ＬＤ光源を光源とし、ＬＣＤ（Liquid Crystal Display）や、ＤＭＤ（Digital Micro-mirror Device）を光学系とした構成のプロジェクタを用いることができる。この場合は、光学系を各画素に対応して投影領域の全面に配置し、光源から射出された光を画像に合わせて光学系をオンオフさせることで画像を投影領域の全面に投影させることができる。また、プロジェクタ３４には、レーザ光を光源とし、光源から射出された光を透過させるか否かを切り換える切り換え素子と、切り換え素子を通過した光をラスター走査させるミラーとで構成される光学系とした構成のプロジェクタを用いることもできる。この場合は、ミラーによってレーザ光から射出された光の角度を変えて、投影領域の全面に光源から照射された光を走査させることで、投影領域に画像を投影させることができる。
【００４０】
バッテリ（電源）３６は、二次電池であり、蓄電された電力を制御部２２及び制御部２２を介して各部に電力を供給する。バッテリ３６は、筐体１１に対して着脱可能な状態で保持されている。またバッテリ３６は、端子等を介して外部電源から電力を供給されることで充電される。なお、バッテリ３６は、制御部２２を介さずに直接各部に電力を供給するようにしてもよい。また、バッテリ３６は、筐体１１に内蔵され、着脱不可能な構成にしてもよい。
【００４１】
冷却ファン３８は、筐体１１の内部に配置された各部、特にプロジェクタ３４の発光部を冷却する冷却機構であり、回転して、空気を対流させる羽３８ａと、羽３８ａを回転させるモータ等とで構成されている。冷却ファン３８は、筐体１１の内部に配置された各部を冷却することで、携帯電子機器１０が過熱により故障したり、過剰に電力を消費したりすることを抑制する。なお、冷却ファン３８は、冷却効率を向上させるために、さらに、ファンにより空気を対流させる領域に放熱板等を設けるようにしてもよい。
【００４２】
温度センサ３９は、筐体１１の内部に配置された温度検出手段であり、例えば、熱伝対、サーミスタ、バイメタル温度計等である。温度センサ３９は、筐体１１の内部の所定位置の温度を検出する。温度センサ３９は、検出した温度の情報を制御部２２に送る。なお、本実施形態では、温度センサ３９で検出した温度を用いて制御部２２が演算を行うことで所定部分の温度を検出することができる。つまり、温度センサ３９と制御部２２の機能により本発明の温度検出部が構成される。携帯電子機器１０は、基本的に以上のような構成である。
【００４３】
次に、図４を用いて携帯電子機器１０の動作、具体的には、温度センサ３９の検出結果に基づいた制御部２２の処理動作について説明する。ここで、図４は、携帯電子機器の動作の一例を示すフロー図である。なお、図４に示すフロー図は、他の端末からの着信があった場合の処理動作を示すフロー図である。また、制御部２２は、記憶部２４から、温度センサ３９での検出値に基づいて制御を行うアプリケーションプログラムを作動させるタスクを読み出し、温度センサ３９での検出値に基づいて制御を行うアプリケーションプログラムが作動されている。
【００４４】
まず、携帯電子機器１０の制御部２２は、ステップＳ１２として、着信イベントがあるかを判定する。つまり、他の端末から電話がかけられている状態で、かつ、通話を開始していない状態であるかを判定する。制御部２２は、ステップＳ１２で着信イベントがない（Ｎｏ）と判定したら、処理を終了する。
【００４５】
また、制御部２２は、ステップＳ１２で着信イベントがある（Ｙｅｓ）と判定したら、ステップＳ１４として、端末温度を取得する。ここで、端末温度とは、筐体１１の表面の温度であり、本実施形態では、レシーバ１６の近傍の所定位置の温度である。なお、端末温度は、温度センサ３９の検出値から求められる。具体的には、温度センサ３９の近傍の温度がレシーバ１６の近傍の所定位置の温度とみなせる場合は、温度センサ３９の検出値をそのまま端末温度とする。また、温度センサ３９と該所定位置とが離れており、温度センサ３９の近傍の温度をレシーバ１６の近傍の所定位置の温度とみなせない場合は、温度センサ３９の温度と該所定位置の温度との関係を予め算出しておき、予め算出した関係と検出した温度センサ３９の温度とに基づいて端末温度を算出する。なお、この場合は、各部の動作状況、特にプロジェクタ３４の駆動状態を考慮して端末温度を算出することが好ましい。これにより、端末温度をより正確に算出することができる。
【００４６】
制御部２２は、ステップＳ１４で端末温度を取得したら、ステップＳ１６として、端末温度が基準温度内、つまり基準温度未満かを判定する。ここで、基準温度とは、操作者が熱いと判定する温度であり、例えば、４５度である。なお、基準温度は、室温または外気音を基準として判定してもよい。例えば、室温または外気温から１０度高い温度を基準温度と設定してもよい。なお、室温は、温度センサ３９とは異なる位置に、第２の温度センサを設け、その差分から算出すればよい。また、外気温は、送受信部２６を介してサーバ等から携帯電子機器１０がある地域の外気温の情報を取得してもよい。
【００４７】
制御部２２は、ステップＳ１６で基準温度未満である（Ｙｅｓ）と判定したら、ステップＳ１８として、通常通話を行う。ここで、通常通話とは、通話相手からの音声をレシーバ１６から出力し、操作者がレシーバ１６に耳を近づけて通話を行う通話方法である。なお、通常通話が可能な場合、操作者は、通常通話以外の種々の通話方法を選択できるように設定されている。なお、通常通話では、操作者が選択した任意のモードで通話可能である。制御部２２は、ステップＳ１８で通常通話とした後、処理を終了する。
【００４８】
制御部２２は、ステップＳ１６で、端末温度が基準温度未満ではない（Ｎｏ）、つまり基準温度以上であると判定したら、ステップＳ２０としてハンズフリー通話とする。ハンズフリー通話の場合、通話相手からの音声をスピーカ１７から出力することで、通話が行われる。制御部２２は、ステップＳ２０でハンズフリー通話としたら、処理を終了する。なお、制御部２２は、上記処理を繰り返す。
【００４９】
携帯電子機器１０は、端末温度が基準温度以上である場合は、ハンズフリー通話とすることで、筐体１１が一定温度以上の場合は、操作者がレシーバ１６に耳を近づけずに通話を行うことができる。つまり、携帯電子機器１０は、端末温度が基準温度以上の場合は、筐体１１に顔を近づけないようにすることができる。これにより、ユーザが暑いまたは熱いと感じつつ、携帯電子機器１０を使用することを抑制することができる。
【００５０】
以下、具体例を説明する。ここで、図５は、携帯電子機器の温度変化の一例を示すグラフである。ここで、図５のグラフは、縦軸を端末温度［℃］とし、横軸を時間［秒］とした。また、図５に示すグラフは、プロジェクタ３４により画像を投影することで端末温度が上昇する場合の例である。図５に示すように、プロジェクタ３４が駆動されていない状態では、端末温度は、室温よりも高い温度と検出されている。この状態で、プロジェクタ３４が起動され、投影を開始されると、端末温度は、徐々に上昇し、一定時間経過後、基準温度を超える。その後、端末温度は、さらに上昇し、その後一定の温度で安定する。プロジェクタ３４が駆動されている間、端末温度は、基準温度を超えた一定の高温で安定している。その後、プロジェクタ３４の駆動が停止されたら、端末温度は、徐々に降下していき、一定時間経過した後基準温度未満となり、その後も徐々に降下していき、プロジェクタ３４が起動される前の温度まで降下する。端末温度は、このように変化していき、図５中、基準の温度に達している範囲（基準温度と同じ温度も含む）の時間に着信イベントがあった場合は、通常通話ではなく、ハンズフリー通話で、相手との通話が可能となる。これにより、筐体１１が一定温度以上の場合は、通常通話よりも大きな音量を発することで、操作者がレシーバ１６に耳を近づけずに通話を行うことができ、操作者が通話時に暑いと感じることを抑制することができる。
【００５１】
ここで、制御部２２は、ステップＳ２０でハンズフリー通話に設定する前に、温度が高くなっていることを通知するメッセージや記号、また、ハンズフリー通話で通話を行うことを通知するメッセージや記号を表示部３２に表示するようにしてもよい。これにより、操作者が携帯電子機器１０の状態を正確に把握することができる。
【００５２】
また、ステップＳ１４からステップＳ１８またはステップＳ２０の処理は、操作者が通話開始の指示を入力してから行ってもよい。また、操作者が通話開始の指示を入力する前に、ステップＳ１４からステップＳ１８またはステップＳ２０の処理を行い、表示部への表示等により、ハンズフリー通話となるか、通常通話となるかを操作者に通知し、その後操作者が通話開始の指示を入力したら、設定された方法で通話を行うようにしてもよい。なお、通話開始の指示は、ボタン（通話キー）の押下や、音声入力、クレイドルのスイッチの押下等がある。
【００５３】
また、上記実施形態では、ステップＳ１２を着信イベント、つまり、他の端末からの着信があった場合として説明したが、携帯電子機器１０から他の端末へ電話をかける場合、つまり、発信を行う場合も同様の制御を行えばよい。また、通話中においても、ステップＳ１４からステップＳ１８またはステップＳ２０の処理を行い、端末温度が基準温度以上となったらハンズフリー通話に切り替え、また、端末温度が基準温度未満となったら、通常通話に切り替えるようにしてもよい。なお、ハンズフリー通話から通常通話への切り替えは行わなくてもよく、選択可能とすればよい。このように、通話を行う場合は、端末温度によって上記制御を行うことで、通話時に操作者が暑いと感じつつ通話を行うことを抑制でき、適切な通話方法で通話を行うことが可能となる。
【００５４】
次に、図６から図１０を用いて携帯電子機器１０の動作の他の一例、具体的には、温度センサ３９の検出結果に基づいた制御部２２の処理動作、および、プロジェクタ３４の投影動作について説明する。ここで、図６は、携帯電子機器の動作の他の例を示すフロー図である。なお、本例では、制御部２２は、記憶部２４から、プロジェクタの駆動を制御するアプリケーションプログラムを作動させるタスク及び温度センサでの検出値に基づいて制御を行うアプリケーションプログラムを作動させるタスクを読み出し、プロジェクタの駆動を制御するアプリケーションプログラム、及び、温度センサでの検出値に基づいて制御を行うアプリケーションプログラムが作動されている。
【００５５】
まず、図６に示すように、制御部２２は、ステップＳ３０として、イベント待ちを行い、イベントを検出したら、ステップＳ３２に進む。ここで、イベントとは、操作者による指示、または他の端末、基地局からの通知等、制御部２２（のアプリケーションプログラム）で処理を行う必要のある入力である。
【００５６】
制御部２２は、ステップＳ３０でイベントを検出したら、ステップＳ３２として検出したイベントが投影開始イベントであるかを判定する。ここで、投影開始イベントとは、プロジェクタ３４による画像の投影を開始させる指示である。制御部２２は、ステップＳ３２で投影開始イベントである（Ｙｅｓ）と判定したら、ステップＳ３４として、投影開始モードの処理を行い、ステップＳ３０に進み、再び、イベント待ち状態となる。
【００５７】
ここで、図７を用いて、投影開始モードの処理を説明する。なお、図７は、ステップＳ３４の投影開始モードの処理を具体的に示すフロー図である。制御部２２は、ステップＳ３２で投影開始イベントであると判定されたら、ステップＳ６０として、通話中であるかを判定する。
【００５８】
制御部２２は、ステップＳ６０で通話中である（Ｙｅｓ）と判定したら、ステップＳ６６に進む。また、制御部２２は、ステップＳ６０で通話中ではない（Ｎｏ）と判定したら、ステップＳ６２として、端末温度が基準温度未満であるかを判定する。ここで、ステップＳ６２の基準温度は、上述した通話をハンズフリーで行うか、通常通話で行うかの判定の基準として基準温度と同じ温度としても異なる温度としてもよい。なお、ステップＳ６２の基準温度は、通話方法を判定する基準温度よりも高く設定することが可能であり、設定の基準としては、プロジェクタ３４としての性能が低下する可能性がある温度が例示される。制御部２２は、ステップＳ６２で端末温度が基準温度未満である（Ｙｅｓ）と判定したら、ステップＳ６４として、プロジェクタ３４による画像の投影を開始する。制御部２２は、プロジェクタ３４から画像を投影しつつ、ステップＳ３０に進む。
【００５９】
また、制御部２２は、ステップＳ６０でＹｅｓ、または、ステップＳ６２で端末温度が基準温度未満ではない（Ｎｏ）と判定されたらステップＳ６６として警告表示を行う。ここで、警告表示とは操作者に向けて出力される通知であり、表示部３２に表示される。ここで、警告表示は、ステップＳ６０でＹｅｓと判定された場合とステップＳ６２でＮｏと判定された場合とでは異なる表示としてもよい。例えば、ステップＳ６０でＹｅｓと判定された場合は、通話中であるため、通話を停止しないとプロジェクタを起動できない旨の警告表示を行えばよく、ステップＳ６２でＮｏと判定された場合は、端末温度が規定の温度以上であるため、プロジェクタを起動できない旨の警告表示を行えばよい。制御部２２は、ステップＳ６６で警告を表示させたら、ステップＳ３０に進む。
【００６０】
図６に戻り、制御部２２は、ステップＳ３２で投影開始イベントではない（Ｎｏ）と判定したら、ステップＳ３６として検出したイベントが投影停止イベントであるかを判定する。ここで、投影停止イベントとは、プロジェクタ３４による画像の投影を停止させる指示である。制御部２２は、ステップＳ３６で投影停止イベントである（Ｙｅｓ）と判定したら、ステップＳ３８として、プロジェクタ３４による画像の投影を停止し、その後、ステップＳ３０に進み、再び、イベント待ちの状態となる。
【００６１】
また、制御部２２は、ステップＳ３６で投影停止イベントではない（Ｎｏ）と判定したら、ステップＳ４０として検出したイベントが着信イベントであるかを判定する。ここで、着信イベントとは、他の端末からの着信を検出した旨の入力である。制御部２２は、ステップＳ４０で着信イベントである（Ｙｅｓ）と判定したら、ステップＳ４２として、着信モードの処理を行い、その後、ステップＳ３０に進み、再びイベント待ち状態となる。
【００６２】
ここで、図８を用いて、着信モードの処理を説明する。なお、図８は、ステップＳ４２の着信モードの処理を具体的に示すフロー図である。制御部２２は、ステップＳ４０で着信イベントであると判定されたら、ステップＳ７０として、投影中であるかを判定する。つまりプロジェクタ３４により画像の投影中であるかを判定する。制御部２２は、ステップＳ７０で投影中ではない（Ｎｏ）と判定したら、ステップＳ７６に進む。
【００６３】
また、制御部２２は、ステップＳ７０で投影中である（Ｙｅｓ）と判定したら、ステップＳ７２として、端末温度が基準温度未満であるかを判定する。なお、ステップＳ７２の基準温度は、上述した、ステップＳ１６の判定に用いた基準温度と同様の基準温度である。制御部２２は、ステップＳ７２で端末温度が基準温度未満である（Ｙｅｓ）と判定したら、ステップＳ７４として、プロジェクタ３４による画像の投影を中断して、ステップＳ７６に進む。制御部２２は、ステップＳ７０でＮｏと判定したら、または、ステップＳ７４で投影を中断したら、ステップＳ７６として、通常通話を行う。つまり、制御部２２は、プロジェクタ３４による画像の投影が行われておらず、かつ、端末温度が基準温度未満であると判定したら、通常通話による通話を開始する。その後、制御部２２は、ステップＳ３０に進む。
【００６４】
また、制御部２２は、ステップＳ７２で端末温度が基準温度未満ではない（Ｎｏ）、つまり、端末温度が基準温度以上であると判定したら、ステップＳ７８として、警告及び選択画面を表示する。ここで、警告及び選択画面とは、警告のメッセージと選択のメッセージの両方が表示される画面である。ここで、警告のメッセージとは、端末温度が基準温度以上であり、通常通話での通話ができない旨のメッセージである。また、選択のメッセージとは、ハンズフリー通話での通話を行うか否かを選択させるメッセージである。なお、操作者は、この選択通知に基づいてハンズフリー通話での通話を行うか否かの決定指示を入力する。
【００６５】
制御部２２は、ステップＳ７８で警告及び選択画面を表示させたら、ステップＳ８０として、ハンズフリー通話が選択されたかを判定する。制御部２２は、ステップＳ８０でハンズフリー通話が選択されていない（Ｎｏ）、例えばハンズフリー通話は行わない決定が入力されたと判定したら、そのまま着信モードの処理を終了し、ステップＳ３０に進む。なお、この場合は、プロジェクタ３４による画像の投影は継続される。
【００６６】
制御部２２は、ステップＳ８０で、ハンズフリー通話が選択された（Ｙｅｓ）と判定したら、ステップＳ８２として、プロジェクタ３４による画像の投影を中断した後、ステップＳ８４として、ハンズフリー通話による通話を開始する。その後、制御部２２は、ステップＳ３０に進む。
【００６７】
図６に戻り、制御部２２は、ステップＳ４０で着信イベントではない（Ｎｏ）と判定したら、ステップＳ４４として検出したイベントが通話終了イベントであるかを判定する。ここで、通話終了イベントとは、他の端末との通話を終了する指示である。制御部２２は、ステップＳ４４で通話終了イベントである（Ｙｅｓ）と判定したら、ステップＳ４６として、通話終了モードの処理を行い、その後、ステップＳ３０に進み、再びイベント待ち状態となる。
【００６８】
ここで、図９を用いて、通話終了モードの処理を説明する。なお、図９は、ステップＳ４６の通話終了モードの処理を具体的に示すフロー図である。制御部２２は、ステップＳ４４で通話終了イベントであると判定されたら、ステップＳ９０として、通話を停止する。制御部２２は、ステップＳ９０で通話を停止したら、ステップＳ９２として、プロジェクタ３４による画像の投影が中断中であるかを判定する。つまり、上述したステップＳ７４やステップＳ８２で画像の投影が中断されたかを判定する。制御部２２は、ステップＳ９２で投影が中断中ではない（Ｎｏ）と判定したら、通話終了モードの処理を終了して、ステップＳ３０に進む。
【００６９】
また、制御部２２は、ステップＳ９２で投影が中断中である（Ｙｅｓ）と判定したら、ステップＳ９４として、端末温度が基準温度未満であるかを判定する。なお、ステップＳ９４の基準温度は、上述した、ステップＳ６２の判定に用いた基準温度と同様の基準温度である。制御部２２は、ステップＳ９４で端末温度が基準温度未満である（Ｙｅｓ）と判定したら、ステップＳ９６として、プロジェクタ３４による画像の投影を再開する。制御部２２は、ステップＳ９６の処理が終了したら、通話終了モードの処理を終了して、ステップＳ３０に進む。
【００７０】
また、制御部２２は、ステップＳ９４で端末温度が基準温度未満ではない（Ｎｏ）、つまり、端末温度が基準温度以上であると判定したら、ステップＳ９８として、警告画面を表示する。ここで、警告画面とは、警告のメッセージとは、端末温度が基準温度以上であり、プロジェクタ３４による画像の投影ができない旨のメッセージである。制御部２２は、ステップＳ９８の処理が終了したら、通話終了モードの処理を終了して、ステップＳ３０に進む。なお、この場合、制御部２２は、プロジェクタ３４による画像の投影は再開されずにステップＳ３０に進む。
【００７１】
図６に戻り、制御部２２は、ステップＳ４４で通話終了イベントではない（Ｎｏ）と判定したら、ステップＳ４８として検出したイベントが電源ＯＦＦイベントであるかを判定する。ここで、電源ＯＦＦイベントとは、携帯電子機器１０の電源をＯＦＦにする指示である。つまり、携帯電子機器１０の駆動を停止する指示である。制御部２２は、ステップＳ４８で電源ＯＦＦイベントではない（Ｎｏ）と判定したら、ステップＳ３０に進み、再びイベント待ち状態となる。また、制御部２２は、ステップＳ４８で電源ＯＦＦイベントである（Ｙｅｓ）と判定したら、ステップＳ５０として、終了処理、つまり、各ソフトウェアプログラムを終了させ、携帯電子機器１０の駆動を停止する処理を行い、処理を終了する。
【００７２】
制御部２２による処理は、以上のようにして行われる。次に、図１０を用いて、図６から図９に示す処理により表示部に表示される画像の遷移の一例を説明する。図１０は、図６に示す携帯電子機器の動作を説明するための説明図である。例えば、プロジェクタ３４により画像が投影されている間は、図１０に示すように、投影画面として、投影されている画像に対応する画像や、その処理画面が表示される。この状態で着信があると、ステップＳ４０からステップＳ７２に進み、端末温度が基準温度未満の場合は、通常着信動作の画面が表示され、通常通話での通話が行われる。その後、通常通話が終了される際は、通話終了モードの処理が行われ、端末温度が基準温度未満であれば、投影が再開される。
【００７３】
また、着信時に、端末温度が基準温度以上の場合は、図１０に示すように「端末温度が××℃です。」という警告メッセージと「ハンズフリーによる通話を行いますか？  ＹＥＳ  ＮＯ」という選択画面が表示される（ステップＳ７８）。その後、ＮＯが選択されると、通話は開始されず、投影画面に戻る。これに対して、ＹＥＳが選択されると、プロジェクタによる画像の投影は中断され、ハンズフリー通話が開始され、ハンズフリー通話の画面が表示される。また、その後、通話が終了される際は、通話終了モードの処理が行われ、端末温度が基準温度未満であれば、投影が再開される。
【００７４】
ここで、上記実施形態では、スピーカ１７から音声を出力したが、ハンズフリー通話は、レシーバ１６から音声を出力し、操作者がレシーバ１６に耳を近づける必要がなければよく、イヤホン出力部１８から音声を出力するようにしてもよい。
【００７５】
また、上記実施形態では、通常通話以外のモードでは通話可能としたが、本発明はこれに限定されず、基準温度よりも高い場合は、着信があっても通話できないようにしてもよい。つまり、図４のステップＳ２０をハンズフリー通話とせず、通話禁止の設定とするようにしてもよい。このように通話禁止にすることで、端末温度が基準温度以上の場合は、操作者が携帯電子機器１０を極力触らないようにすることができ、操作者に暑いと思わせる可能性をより低減することができる。
【００７６】
また、通話禁止、つまり、通話できないようにする場合は、通話できない旨を操作者及び／または他の端末に通知するようにすることが好ましい。これにより、操作者も通話できない理由を知ることができる。また、他の端末の操作者も通話ができない理由を知ることができ、相手が気づいていないと思い、短時間で連続的に電話をかけてしまうという手間が発生することを抑制できる。
【００７７】
さらに、通話禁止、つまり、通話できないようにする場合は、端末温度が基準温度未満となるまでに必要な時間を推定し、その時間を操作者及び／または他の端末に通知するようにすることが好ましい。このように通話可能となる予定の時間を認識できることにより、操作者、他の端末の操作者がともに、適切な時間が経過した後、発信することができ、効率よく操作を行うことができる。
【００７８】
以下、図１１から図１５を用いて携帯電子機器１０の動作の他の一例、具体的には、端末温度が基準温度以上の場合は、通話を禁止する場合の制御部２２の処理動作、及び、プロジェクタ３４の投影動作について説明する。ここで、図１１は、携帯電子機器の動作の他の例を示すフロー図である。なお、図１１に示す制御動作は、一部を除き、図６に示す制御動作と同様であるので、同様の処理の部分についての詳細な説明は省略し、以下、本制御に特有の処理について説明する。
【００７９】
まず、図１１に示すように、制御部２２は、ステップＳ３０として、イベント待ちを行い、イベントを検出したら、ステップＳ３２に進む。制御部２２は、ステップＳ３０でイベントを検出したら、ステップＳ３２として検出したイベントが投影開始イベントであるかを判定する。制御部２２は、ステップＳ３２で投影開始イベントである（Ｙｅｓ）と判定したら、ステップＳ１０２として、投影開始モードの処理を行い、ステップＳ３０に進み、再び、イベント待ち状態となる。
【００８０】
ここで、図１２を用いて、投影開始モードの処理を説明する。なお、図１２は、ステップＳ１０２の投影開始モードの処理を具体的に示すフロー図である。また、図１２に示す制御動作は、一部を除き、図７に示す制御動作と同様であるので、同様の処理の部分についての詳細な説明は省略し、以下、本制御に特有の処理について説明する。制御部２２は、ステップＳ３２で投影開始イベントであると判定されたら、ステップＳ６０として、通話中であるかを判定する。
【００８１】
制御部２２は、ステップＳ６０で通話中である（Ｙｅｓ）と判定したら、ステップＳ６６に進む。また、制御部２２は、ステップＳ６０でＹｅｓと判定されたらステップＳ６６として警告表示を行う。ここで、警告表示とは操作者に向けて出力される通知であり、表示部３２に表示される。ここで、警告表示としては、通話中であるため、通話を停止しないとプロジェクタを起動できない旨の警告表示を行えばよい。制御部２２は、ステップＳ６６で警告を表示させたら、ステップＳ３０に進む。
【００８２】
また、制御部２２は、ステップＳ６０で通話中ではない（Ｎｏ）と判定したら、ステップＳ６２として、端末温度が基準温度未満であるかを判定する。なお、図１２のステップＳ６２の基準温度は、上述したステップＳ１６で用いた基準温度と同様の基準温度である。制御部２２は、ステップＳ６２で端末温度が基準温度未満ではない（Ｎｏ）と判定したら、ステップＳ１１０として通話操作禁止状態にセットする。ここで、通話操作禁止状態とは、発信及び通話動作が行えないようにする状態であり、この状態では、操作者が操作をおこなっても、電話をかけること、また、通話することができない。なお、本実施例では、通話禁止としたが、通話操作禁止状態は、端末温度により段階的に設定するようにしてもよい。例えば、基準温度に対して５度高い場合は、ハンズフリーでの通話は可能とし、１０度以上高い場合は、完全に通話を禁止するようにしてもよい。制御部２２は、ステップＳ１１０で通話操作禁止状態にセットしたら、ステップＳ６４に進む。
【００８３】
制御部２２は、ステップＳ６２で端末温度が基準温度未満である（Ｙｅｓ）と判定したら、また、ステップＳ１１０の処理を終了したら、ステップＳ６４として、プロジェクタ３４による画像の投影を開始する。制御部２２は、プロジェクタ３４から画像を投影しつつ、ステップＳ３０に進む。
【００８４】
図１１に戻り、制御部２２は、ステップＳ３２で投影開始イベントではない（Ｎｏ）と判定したら、ステップＳ３６として検出したイベントが投影停止イベントであるかを判定する。制御部２２は、ステップＳ３６で投影停止イベントである（Ｙｅｓ）と判定したら、ステップＳ３８として、プロジェクタ３４による画像の投影を停止し、その後、ステップＳ３０に進み、再び、イベント待ちの状態となる。
【００８５】
また、制御部２２は、ステップＳ３６で投影停止イベントではない（Ｎｏ）と判定したら、ステップＳ４０として検出したイベントが着信イベントであるかを判定する。制御部２２は、ステップＳ４０で着信イベントである（Ｙｅｓ）と判定したら、ステップＳ１０４として、着信モードの処理を行い、その後、ステップＳ３０に進み、再びイベント待ち状態となる。
【００８６】
ここで、図１３を用いて、着信モードの処理を説明する。なお、図１３は、ステップＳ１０４の着信モードの処理を具体的に示すフロー図である。また、図１３に示す制御動作は、一部を除き、図８に示す制御動作と同様であるので、同様の処理の部分についての詳細な説明は省略し、以下、本制御に特有の処理について説明する。制御部２２は、ステップＳ４０で着信イベントであると判定されたら、ステップＳ７０として、投影中であるかを判定する。つまりプロジェクタ３４により画像の投影中であるかを判定する。制御部２２は、ステップＳ７０で投影中ではない（Ｎｏ）と判定したら、ステップＳ７６に進む。
【００８７】
また、制御部２２は、ステップＳ７０で投影中である（Ｙｅｓ）と判定したら、ステップＳ７２として、端末温度が基準温度イ満であるかを判定する。なお、ステップＳ７２の基準温度は、上述した、ステップＳ１６の判定に用いた基準温度と同様の基準温度である。制御部２２は、ステップＳ７２で端末温度が基準温度未満である（Ｙｅｓ）と判定したら、ステップＳ７４として、プロジェクタ３４による画像の投影を中断して、ステップＳ７６に進む。制御部２２は、ステップＳ７０でＮｏと判定したら、または、ステップＳ７４で投影を中断したら、ステップＳ７６として、通常通話を行う。つまり、制御部２２は、プロジェクタ３４による画像の投影が行われておらず、かつ、端末温度が基準温度未満であると判定したら、通常通話による通話を開始する。その後、制御部２２は、ステップＳ３０に進む。
【００８８】
また、制御部２２は、ステップＳ７２で端末温度が基準温度未満ではない（Ｎｏ）、つまり、端末温度が基準温度以上であると判定したら、ステップＳ７８として、警告及び選択画面を表示する。ここで、警告及び選択画面とは、警告のメッセージと選択のメッセージの両方が表示される画面である。ここで、警告のメッセージとは、投影中であるため通話ができない旨および通話を行うためには、所定の時間待つ必要がある旨のメッセージである。また、選択のメッセージとは、投影を中止して通話を行うか否かを選択させるメッセージである。なお、操作者は、この選択通知に基づいて投影を中止して、通話を行うか否かの決定指示を入力する。
【００８９】
制御部２２は、ステップＳ７８で警告及び選択画面を表示させたら、ステップＳ１２２として、通話が選択されたかを判定する。制御部２２は、ステップＳ１２２で通話が選択されていない（Ｎｏ）、例えば通話は行わない決定が入力されたと判定したら、そのまま着信モードの処理を終了し、ステップＳ３０に進む。なお、この場合は、プロジェクタ３４による画像の投影は継続される。
【００９０】
制御部２２は、ステップＳ１２２で、通話が選択された（Ｙｅｓ）と判定したら、ステップＳ８２として、プロジェクタ３４による画像の投影を中断した後、ステップＳ１２４として、通話操作禁止状態にセットし、かつ、通話禁止時間を表示する。ここで、通話禁止時間とは、端末温度が基準温度未満まで降下し、通話が可能となるまでにかかる時間を予測した時間である。制御部２２は、ステップＳ１２４で通話操作禁止状態にセットし、通話禁止時間を表示させたら、ステップＳ３０に進む。
【００９１】
図１１に戻り、制御部２２は、ステップＳ４０で着信イベントではない（Ｎｏ）と判定したら、ステップＳ４４として検出したイベントが通話終了イベントであるかを判定する。ここで、通話終了イベントとは、他の端末との通話を終了する指示である。制御部２２は、ステップＳ４４で通話終了イベントである（Ｙｅｓ）と判定したら、ステップＳ４６として、通話終了モードの処理を行い、その後、ステップＳ３０に進み、再びイベント待ち状態となる。なお、通話終了モードは、図９に示す処理と同様の処理であるので、説明は省略する。
【００９２】
また、制御部２２は、ステップＳ４４で通話終了イベントではない（Ｎｏ）と判定したら、ステップＳ１０６として、解除イベントであるかを判定する。ここで、解除イベントとは、通話操作禁止状態を解除する指示であり、温度センサ３９による検出結果に基づいて端末温度が基準温度未満であると算出されたら、制御部２２自身により解除する指示が入力される。制御部２２は、ステップＳ１０６で解除イベントである（Ｙｅｓ）と判定したら、ステップＳ１０８として、通話操作禁止状態をクリアして、つまり、通話が可能な状態とした後、ステップＳ３０に進み、再びイベント待ち状態となる。
【００９３】
また、ステップＳ１０６で解除イベントではない（Ｎｏ）と判定したら、ステップＳ４８として検出したイベントが電源ＯＦＦイベントであるかを判定する。ここで、電源ＯＦＦイベントとは、携帯電子機器１０の電源をＯＦＦにする指示である。つまり、携帯電子機器１０の駆動を停止する指示である。制御部２２は、ステップＳ４８で電源ＯＦＦイベントではない（Ｎｏ）と判定したら、ステップＳ３０に進み、再びイベント待ち状態となる。また、制御部２２は、ステップＳ４８で電源ＯＦＦイベントである（Ｙｅｓ）と判定したら、ステップＳ５０として、終了処理、つまり、各ソフトウェアプログラムを終了させ、携帯電子機器１０の駆動を停止する処理を行い、処理を終了する。
【００９４】
制御部２２による処理は、以上のようにして行われる。次に、図１４を用いて、図１１から図１３に示す処理により表示部に表示される画像の遷移の一例を説明する。図１４は、図１１に示す携帯電子機器の動作を説明するための説明図である。例えば、プロジェクタ３４により画像が投影されている間は、図１４に示すように、投影画面として、投影されている画像に対応する画像や、その処理画面が表示される。この状態で着信があると、ステップＳ４０からステップＳ１２２に進み、端末温度が基準温度未満の場合は、通常着信動作の画面が表示され、通常通話での通話が行われる。その後、通常通話が終了される際は、通話終了モードの処理が行われ、端末温度が基準温度未満であれば、投影が再開される。
【００９５】
また、着信時に、端末温度が基準温度以上の場合は、投影中のため電話に出られない旨が電話をかけてきた端末に対して自動音声で通知（自動応答）される。その後、図１４に示すように「投影中のため通話できません。」「通話まで約××分待つ必要があります。」という警告メッセージと、「通話を行うために投影中断しますか？    ＹＥＳ  ＮＯ」という選択メッセージが、画面が表示される（ステップＳ７８）。その後、ＮＯが選択されると、通話は開始されず、投影画面に戻る。これに対して、ＹＥＳが選択されると、プロジェクタによる画像の投影は中断される。また、その際に自動応答継続中、つまり、通話相手と通信をしている状態であれば「約××分後に折り返し連絡する」旨を自動音声で応答する。また、投影が中断されたら、画面上には、通話操作禁止状態である旨と、通話禁止時間が表示される（ステップＳ１２４）。なお、上述したように、通話操作禁止状態は、端末温度により段階的に設定することができる。その後、所定時間が経過したら、または、端末温度が基準温度未満となったら、通話操作禁止状態を解除した旨の通知を表示させる。その後、操作者により通話動作が行われた通話画面を表示させる。さらに、通話が終了したら、通話終了モードの処理が行われ、投影が再開される。
【００９６】
ここで、通話操作禁止状態がセットされている場合は、発信操作を行えないようにすることが好ましい。以下、図１５を用いて説明する。図１５は、携帯電子機器の動作の他の例を示すフロー図である。制御部２２は、発信操作が入力されたら、ステップＳ１４０として、通話操作禁止状態であるかを判定する。制御部２２は、ステップＳ１４０で通話操作禁止状態ではない（Ｎｏ）と判定したら、ステップＳ１４２として、発信処理を行い、他の端末との通話を開始し、処理を終了する。また、制御部２２は、ステップＳ１４０で通話操作禁止状態である（Ｙｅｓ）と判定したら、ステップＳ１４４として、警告を表示させる。ここで、警告としては、通話操作禁止状態である旨または、端末温度が基準温度以上である旨を通知するメッセージが表示される。制御部２２は、ステップＳ１４４で警告を表示させたら、発信処理は行わずに処理を終了する。このように、通話操作禁止状態がセットされている場合は、発信操作を行えないようにすることで、端末温度が基準温度以上の場合は、通信を行わないようにすることができる。
【００９７】
以下、図１６から図１７を用いて携帯電子機器１０の動作の他の一例、具体的には、他の端末との通信を行いつつ、通信相手から供給される画像をプロジェクタにより投影させるテレビ会議モードの場合の制御部２２の処理動作、及び、プロジェクタ３４の投影動作について説明する。ここで、テレビ会議モードとは、ハンズフリーによる通話のみを行うように選択されているモードである。ここで、図１６は、携帯電子機器の動作の他の例を示すフロー図である。なお、図１６に示す制御動作は、一部を除き、図６から図９に示す制御動作と同様であるので、同様の処理の部分についての詳細な説明は省略し、以下、本制御に特有の処理について説明する。
【００９８】
まず、図１６に示すように、制御部２２は、ステップＳ３０として、イベント待ちを行い、イベントを検出したら、ステップＳ３２に進む。制御部２２は、ステップＳ３０でイベントを検出したら、ステップＳ３２として検出したイベントが投影開始イベントであるかを判定する。ここで、投影開始イベントとは、プロジェクタ３４による画像の投影を開始させる指示である。制御部２２は、ステップＳ３２で投影開始イベントである（Ｙｅｓ）と判定したら、投影開始モードの処理を行い、ステップＳ６０として、通話中であるかを判定する。
【００９９】
制御部２２は、ステップＳ６０で通話中である（Ｙｅｓ）と判定したら、ステップＳ１５０として、ハンズフリー通話中かを判定する。制御部２２は、ステップＳ１５０でハンズフリー通話中である（Ｙｅｓ）と判定したら、ステップＳ６４に進む。また、制御部２２は、ステップＳ１５０でハンズフリー通話中ではない（Ｎｏ）と判定したら、ステップＳ１５２に進む。
【０１００】
また、制御部２２は、ステップＳ６０で通話中ではない（Ｎｏ）と判定したら、ステップＳ６２として、端末温度が基準温度未満であるかを判定する。ここで、ステップＳ６２の基準温度は、上述した通話をハンズフリーで行うか、通常通話で行うかの判定の基準として基準温度と同じ温度としても異なる温度としてもよい。なお、ステップＳ６２の基準温度は、通話方法を判定する基準温度よりも高く設定することが可能であり、設定の基準としては、プロジェクタ３４としての性能が低下する可能性がある温度が例示される。制御部２２は、ステップＳ６２で端末温度が基準温度未満である（Ｙｅｓ）と判定したら、または、ステップＳ１５０でＹｅｓと判定されたら、ステップＳ６４として、プロジェクタ３４による画像の投影を開始する。なお、このとき、ステップＳ１５０でＹｅｓと判定された場合に、通話中に供給される画像を投影することでテレビ会議を行うことができる。制御部２２は、プロジェクタ３４から画像を投影しつつ、ステップＳ３０に進む。
【０１０１】
また、制御部２２は、ステップＳ１５０でＮｏ、または、ステップＳ６２で端末温度が基準温度未満ではない（Ｎｏ）と判定されたらステップＳ１５２として警告表示を行う。ここで、警告表示とは操作者に向けて出力される通知であり、表示部３２に表示される。ここで、警告表示は、ステップＳ１５０でＮｏと判定された場合とステップＳ６２でＮｏと判定された場合とでは異なる表示としてもよい。例えば、ステップＳ１５０でＮｏと判定された場合は、ハンズフリー通話でないため、通話を停止、または、通話方法を切り替えないとプロジェクタを起動できない旨の警告表示を行えばよく、ステップＳ６２でＮｏと判定された場合は、端末温度が規定の温度以上であるため、プロジェクタを起動できない旨の警告表示を行えばよい。制御部２２は、ステップＳ１５２で警告を表示させたら、ステップＳ３０に進む。
【０１０２】
次に、制御部２２は、ステップＳ３２で投影開始イベントではない（Ｎｏ）と判定したら、ステップＳ３６として検出したイベントが投影停止イベントであるかを判定する。制御部２２は、ステップＳ３６で投影停止イベントである（Ｙｅｓ）と判定したら、ステップＳ３８として、プロジェクタ３４による画像の投影を停止し、その後、ステップＳ３０に進み、再び、イベント待ちの状態となる。
【０１０３】
また、制御部２２は、ステップＳ３６で投影停止イベントではない（Ｎｏ）と判定したら、ステップＳ４０として検出したイベントが着信イベントであるかを判定する。制御部２２は、ステップＳ４０で着信イベントである（Ｙｅｓ）と判定したら、ステップＳ７０（着信モード処理）として、投影中であるかを判定する。つまりプロジェクタ３４により画像の投影中であるかを判定する。制御部２２は、ステップＳ７０で投影中ではない（Ｎｏ）と判定したら、ステップＳ７６として、通常通話により通話を開始する。
【０１０４】
また、制御部２２は、ステップＳ７０で投影中である（Ｙｅｓ）と判定したら、ステップＳ７８として、警告及び選択画面を表示する。ここで、警告及び選択画面とは、警告のメッセージと選択のメッセージの両方が表示される画面である。ここで、警告のメッセージとは、テレビ会議モードである旨のメッセージである。また、選択のメッセージとは、ハンズフリー通話での通話を行うか否かを選択させるメッセージである。なお、操作者は、この選択通知に基づいてハンズフリー通話での通話を行うか否かの決定指示を入力する。
【０１０５】
制御部２２は、ステップＳ７８で警告及び選択画面を表示させたら、ステップＳ８０として、ハンズフリー通話が選択されたかを判定する。制御部２２は、ステップＳ８０でハンズフリー通話が選択されていない（Ｎｏ）、例えばハンズフリー通話は行わない決定が入力されたと判定したら、そのまま着信モードの処理を終了し、ステップＳ３０に進む。なお、この場合は、プロジェクタ３４による画像の投影は継続される。
【０１０６】
制御部２２は、ステップＳ８０で、ハンズフリー通話が選択された（Ｙｅｓ）と判定したら、ステップＳ８２として、ハンズフリー通話による通話を開始する。その後、制御部２２は、ステップＳ３０に進む。
【０１０７】
制御部２２は、ステップＳ４０で着信イベントではない（Ｎｏ）と判定したら、ステップＳ４４として検出したイベントが通話終了イベントであるかを判定する。制御部２２は、ステップＳ４４で通話終了イベントである（Ｙｅｓ）と判定したら、ステップＳ９０として、通話を停止する。制御部２２は、ステップＳ９０で通話を停止したら、通話終了モードの処理を終了して、ステップＳ３０に進む。
【０１０８】
制御部２２は、ステップＳ４４で通話終了イベントではない（Ｎｏ）と判定したら、ステップＳ４８として検出したイベントが電源ＯＦＦイベントであるかを判定する。制御部２２は、ステップＳ４８で電源ＯＦＦイベントではない（Ｎｏ）と判定したら、ステップＳ３０に進み、再びイベント待ち状態となる。また、制御部２２は、ステップＳ４８で電源ＯＦＦイベントである（Ｙｅｓ）と判定したら、ステップＳ５０として、終了処理、つまり、各ソフトウェアプログラムを終了させ、携帯電子機器１０の駆動を停止する処理を行い、処理を終了する。
【０１０９】
制御部２２による処理は、以上のようにして行われる。次に、図１７を用いて、図１６に示す処理により表示部に表示される画像の遷移の一例を説明する。図１７は、図１６に示す携帯電子機器の動作を説明するための説明図である。例えば、プロジェクタ３４により画像が投影されている間は、図１７に示すように、投影画面として、投影されている画像に対応する画像や、その処理画面が表示される。この状態で着信があると、図１７に示すように「電話会議モードです。」という警告メッセージと「ハンズフリーによる通話を行いますか？  ＹＥＳ  ＮＯ」という選択画面が表示される（ステップＳ７８）。その後、ＮＯが選択されると、通話は開始されず、投影画面に戻る。これに対して、ＹＥＳが選択されると、プロジェクタによる画像の投影を続行した状態で、ハンズフリー通話が開始され、ハンズフリー通話の画面が表示される。また、その後、通話が終了される際は、通話終了モードの処理が行われ、端末温度が基準温度未満であれば、投影が再開される。
【０１１０】
このように、テレビ会議モードを選択可能としておくことで、ユーザに暑いと思わせることなく通話を行うことが可能となる。
【０１１１】
ここで、携帯電子機器は、端末温度と基準温度との差により着信を切り替えるようにすることが好ましい。ここで、図１８は、携帯電子機器の動作の他の例を示すフロー図である。以下、図１８を用いて説明する。なお、図１８に示す処理では、プロジェクタ３４により画像を投影している場合のみ着信音を切り替える処理を行う。また、制御部２２及び／または記憶部２４には、端末温度と着信音との関係を記憶したテーブル、情報（データ）が記憶されている。例えば、端末温度が基準温度未満、基準温度以上基準温度＋５度未満、基準温度＋５度以上基準温度＋１０度未満、基準温度＋１０度以上の４段階に４つの着信音が対応付けられている。
【０１１２】
まず、制御部２２は、着信があると、ステップＳ２００として、プロジェクタ３４により画像の投影中であるかを判定する。制御部２２は、ステップＳ２００で投影中ではない（Ｎｏ）と判定したら、ステップＳ２０６に進む。
【０１１３】
制御部２２は、ステップＳ２００で投影中である（Ｙｅｓ）と判定したら、ステップＳ２０２として、端末温度を取得し、ステップＳ２０４として、端末温度が基準温度未満であるかを判定する。制御部２２は、ステップＳ２０４で端末温度が基準温度未満であると判定したら、ステップＳ２０６に進む。制御部２２は、ステップＳ２００でＮｏと判定されたら、または、ステップＳ２０４でＹｅｓと判定されたら、ステップＳ２０６として、通常着信音制御を行う。つまり、通常着信音（端末温度が基準温度未満の場合）に対応して設定されている着信音を鳴動させる。
【０１１４】
また、制御部２２は、ステップＳ２０４で端末温度が基準温度未満ではない（Ｎｏ）、つまり、基準温度以上であると判定したら、ステップＳ２１０として、端末温度と着信音との関係を記憶したテーブルを読み出し、検出した端末温度に対応する着信音の情報を取得する。その後、制御部２２は、ステップＳ２１２として、取得した着信音を鳴動させ、ステップＳ２１４として警告を表示させる。ここで、警告とは、端末温度が基準温度以上である旨を通知するメッセージである。制御部２２は、ステップＳ２１４で警告を表示させたら処理を終了する。
【０１１５】
このように、強制的に通話方法を切り替えない場合も、端末温度が基準温度よりも高いことを音声により通知することで、操作者は、携帯電子機器１０を触らなくとも携帯電子機器１０の状態を知ることができる。また、この情報に基づいて操作者が通話方法を選択したり、通話を行うかを選択したりすることで、操作者が暑いまたは熱いと感じながら、通話することを抑制でき、他の端末の通信時に適切な通信動作を行うことができる。また、着信音を切り替えることで、着信音により携帯電子機器１０がどの程度の温度であるかを簡単に認識することができる。
【０１１６】
なお、上記のように着信音で通知して、さらに、図４から図１５に示すように、通話方法を制御することにより、より確実に操作者が暑いまたは熱いと感じながら、通話することを抑制でき、他の端末の通信時に適切な通信動作を行うことができる。
【０１１７】
また、上記実施形態では、着信音を変化させたが、本発明はこれに限定されず、現在の端末温度を音声により通知するようにしてもよい。なお、この場合は、端末温度が基準温度を超えている場合のみ通知することが好ましい。これにより、不要な場合に音声が出ることを抑制できる。また、上記実施形態では、基準温度以上となっている可能性が高いときのみ処理を行えるため、プロジェクタ３４による画像の投影時のみ着信音が判定する制御を行ったが、本発明はこれに限定されず、着信があった場合は常に判定を行うようにしてもよい。常に判定を行うことで、端末温度が基準温度以上となっているときをよりもれなく検出することができる。また、ユーザによる操作があった場合は、上記制御を行うようにしてもよい。
【０１１８】
また、本発明は、上記実施形態には限定されない。たとえば、上記の各実施形態を組み合わせてもよい。また、複数の実施形態の制御を同時に行っても、組み合わせて行っても、使用状況によって切り替えるようにしてもよい。
【０１１９】
また、上記実施形態では、熱発生源がプロジェクタである場合として説明したが、熱源は特に限定されない。例えば、バッテリにより筐体の端末温度が上昇した場合も同様の制御で、同様の効果を得ることができる。
【０１２０】
また、上記実施形態では、より的確に端末温度が基準温度以上か未満かを把握することができ、操作者が、暖かいと感じながら携帯電子機器を操作することを抑制できるため、通信モードによって、表示部にメッセージを表示させ、音声の出力方法を切り替えるようにしたが、本発明はこれに限定されない。例えば、表示部にメッセージを表示させることなく音声の出力方法を切り替えるようにしてもよい。また、操作者に選択させずに音声の出力方法を自動的に切り替え及び／または決定するようにしてもよい。このように音声出力の方法が自動的に切り替わることでも、端末温度の状況を把握することができ、また、音声出力方法が切り替えられることで、耳を筐体に当てて通話する必要が無くなるため、操作者が暑いと思いながら通話することを抑制することができる。
【０１２１】
また、上記実施形態では、端末温度が基準温度以上の場合に、レシーバによる音声出力を停止し、これに換えてスピーカにより音声を出力したが、これに限定されない。例えば、音声出力部が１つのスピーカ（またはレシーバ）のみを備え、端末温度が基準温度未満の場合は、端末からの音声（つまり音声出力部から出力される音声）を耳元で聞こえる程度の音量とし、基準温度移住の場合には、端末からの音声（つまり音声出力部から出力される音声）を机に端末を置いた状態でも十分に聞こえる程度の音量としてもよい。つまり、出力する音声の音量の基準を切り替えるようにしてもよい。
【産業上の利用可能性】
【０１２２】
以上のように、本発明にかかる携帯電子機器は、プロジェクタから画像を投影する携帯電子機器や、発熱しやすいバッテリを搭載した携帯電子機器に用いることに適しており、特に携帯電話機に用いることに適している。
【符号の説明】
【０１２３】
１０  携帯電子機器
１１  筐体
１２  ディスプレイ
１３  操作キー
１５  マイク
１６  レシーバ
２２  制御部
２４  記憶部
２６  送受信部
２６ａ  アンテナ
２８  操作部
３０  音声処理部
３２  表示部
３４  プロジェクタ
３４ａ  光射出部
３６  バッテリ
３８  冷却ファン
３９  温度センサ
【図１】
0005523750.tif 000002
【図２】
0005523750.tif 000003
【図３】
0005523750.tif 000004
【図４】
0005523750.tif 000005
【図５】
0005523750.tif 000006
【図６】
0005523750.tif 000007
【図７】
0005523750.tif 000008
【図８】
0005523750.tif 000009
【図９】
0005523750.tif 000010
【図１０】
0005523750.tif 000011
【図１１】
0005523750.tif 000012
【図１２】
0005523750.tif 000013
【図１３】
0005523750.tif 000014
【図１４】
0005523750.tif 000015
【図１５】
0005523750.tif 000016
【図１６】
0005523750.tif 000017
【図１７】
0005523750.tif 000018
【図１８】
0005523750.tif 000019